(57)【特許請求の範囲】
【請求項１】
内燃機関に供給する燃料に対する空気の割合（空燃比Ａ／Ｆ）を，空燃比センサを用いて，理論空燃比（λ＝１）に制御する方法において，
酸素イオン伝導性の固体電解質体と，該固体電解質体上に設けられ，大気と接触させる第１電極及び内燃機関の排ガスと接触させる第２電極とを有し，上記第１電極と第２電極との間に所定の電圧を印加しておき，両電極間に発生する限界電流値を検出する１セルタイプの限界電流式空燃比センサであって，上記空燃比の増分に対する上記限界電流値の増分の傾きが理論空燃比（λ＝１）を境にして変化し，理論空燃比（λ＝１）のリーン側よりもリッチ側の方が上記傾きが大きいものを用い，
上記第１電極と上記第２電極との間に印加される電圧を，上記空燃比が理論空燃比（λ＝１）となる際の限界電流値ＩｐがＩｐ＝０となりうる電圧値に設定した上で，
実際の制御時において，上記排ガス中の酸素濃度及び未燃ガス濃度に応じた限界電流値Ｉｐを検出し，該限界電流値ＩｐがＩｐ＝０となるように上記空燃比Ａ／Ｆを制御することにより，
内燃機関の空燃比Ａ／Ｆを理論空燃比（λ＝１）に制御することを特徴とする空燃比制御方法。
【請求項２】
請求項１において，上記限界電流式空燃比センサは，排ガス中の酸素濃度が７．５％のときに，限界電流値Ｉｐが１０ｍＡ以上を出力することを特徴とする空燃比制御方法。
【請求項３】
請求項１又は２において，上記１セルタイプの限界電流式空燃比センサは，一端を閉塞し，他端を開放したコップ状の素子を有してなることを特徴とする空燃比制御方法。
【請求項４】
請求項１又は２において，上記１セルタイプの限界電流式空燃比センサは，三元触媒を入れた排ガス浄化コンバータの下流側に設けることを特徴とする空燃比制御方法。
【発明の詳細な説明】
【０００１】
【技術分野】
本発明は，自動車用内燃機関の空燃比Ａ／Ｆを精度良く制御することができる空燃比制御方法に関する。
【０００２】
【従来技術】
図１０に示すごとく，ガソリンを燃料とする自動車用内燃機関の排ガスは，その中に含まれるＨＣ（炭化水素），ＣＯ（一酸化炭素），ＮＯｘ（窒素酸化物）を，同時に浄化することができる三元触媒を用いて浄化されている。
そして，この浄化は，同図に示すごとく空燃比Ａ／Ｆが１４．５，つまり理論空燃比（λ＝１）の近傍（Ｗ）において，最も効率良く行なわれる。なお，図１０におけるＲＣＨは空燃比Ａ／Ｆがリッチ側を，またＬＮは空燃比Ａ／Ｆがリーン（希薄側）を示している。
そこで，従来，上記空燃比Ａ／Ｆを理論空燃比（λ＝１）近くにおいて，制御するために，濃淡電池式空燃比センサ，或いは２セル酸素ポンプ式空燃比センサが用いられている。
【０００３】
【解決しようとする課題】
上記濃淡電池式空燃比センサは，図１１に示すごとく，酸素イオン伝導性の固体電解質体８１と，基準ガスとしての大気を導入した大気室８０とを有すると共に，上記固体電解質体８１の大気室８０側に設けた第１電極８２と，内燃機関の排ガスと接触する第２電極８３とを有する。なお，同図の符号８５は大気室８０を形成するためのベース板である。
【０００４】
また，上記第２電極８３の表面には，多孔質の電極保護層８４が設けてある。この濃淡電池式空燃比センサにおいては，排ガス中の酸素濃度と大気室８０内の大気中の酸素濃度との濃度差により，上記第１電極８２と第２電極８３との間に生ずる起電力（Ｖ）の変化を検出する。
【０００５】
そして，図１２に示すごとく，この起電力は，理論空燃比（λ＝１）の近くにおいて急峻に変化する。そこで，これを検知し，空燃比Ａ／Ｆが理論空燃比（λ＝１）になるように，内燃機関に供給する燃料と空気との割合を制御する。
【０００６】
そして，この濃淡電池式空燃比センサによる空燃比制御方法は，理論空燃比（λ＝１）の１ポイントのみを検出し，制御する方式である。この濃淡電池式センサは，上記１ポイント以外（例えばＡ／Ｆが１４．０あるいは１５．０など）を検出するには不向きである。即ち，刻々と変化する空燃比Ａ／Ｆ値を連続して検出することができない。そのため，燃焼を正確に理論空燃比で制御することができない。
【０００７】
また，濃淡電池式空燃比センサは，理論空燃比（λ＝１）に対応する，しきい値９４（図１２）を設定することによって，理論空燃比（λ＝１）と考えられるポイントの基準を定めている。
しかし，濃淡電池式空燃比センサは，第１電極８２，第２電極８３の活性状態や，電極保護層８４の拡散バラツキのため，出力の急峻点が，図１２の曲線９１，９２，９３に示すごとく，一定しておらず，急峻点が製品毎にバラツキを生じている。
そのため，センサ特性にバラツキを生じ，理論空燃比（λ＝１）の検出ポイントがバラツキ，精確に理論空燃比（λ＝１）を検出し，制御することが困難である。
【０００８】
一方，上記２セル酸素ポンプ式空燃比センサは，図１３に示すごとく，ポンプセル７２０用の酸素イオン伝導性の固体電解質体７２と測定ガス室７２６と，濃淡電池セル７１０用の酸素イオン伝導性の固体電解質体７１とベース板７３ａ，ｂとよりなる。そして，上記ポンプセル７２０用固体電解質体７２には，排ガス出入用の空孔７２５と，固体電解質体７２の両面に設けた外側電極７２１，内側電極７２２とを有する。
【０００９】
また，濃淡電池セル７１０用の固体電解質体７１には，大気室７３０に面して第１電極７１１を，上記測定ガス室７２６に面して第２電極７１２を有する。なお，側壁７８，７９も固体電解質体である。また，電気絶縁体からなるベース板７３ａ，ｂにはヒータ７３１を配設してある。
そして，上記濃淡電池セル７１０は，前記濃淡電池式空燃比センサと同様の作用を行なう。一方，上記ポンプセル７２０は，測定ガス室７２６内の酸素濃度が常に一定になるように，酸素イオン電流を流すことにより酸素を固体電解質体７２内を介して出入させる。
【００１０】
そこで，２セル酸素ポンプ式空燃比センサを使用するに当たっては，上記濃淡電池セル７１０の出力が例えば０．５ボルト（Ｖ）となるように，上記ポンプセル７２０におけるポンプ電流を制御する。そして，このポンプ電流の電流値を検出することによって，外側電極７２１が接触している排ガス中の酸素濃度あるいは未燃ガス濃度を検出し，その時点の空燃比Ａ／Ｆを検出している。
この２セル酸素ポンプ式空燃比センサにおいては，図１４に示すごとく，センサ出力電流（Ａ）が得られる。
【００１１】
しかしながら，この２セル酸素ポンプ式空燃比センサにおいても，上記濃淡電池セル７１０は，上記濃淡電池式空燃比センサと同様の構成を有しており，本質的に濃淡電池式空燃比センサの作用を利用したものである。
そのため，図１４に示すごとく，濃淡電池セル７１０の部分の前記製品バラツキによって，ポンプセル７２０の出力値にバラツキを生ずる。つまり，空燃比Ａ／Ｆに対する出力値をプロットしたとき，理想的な出力値は，図１４の曲線９５に示すごとく，理論空燃比（λ＝１）において電流値ゼロを通ることが要求される。
【００１２】
しかし，上記濃淡電池セル７１０におけるバラツキによって，曲線９６，９７のごとく，理論空燃比（λ＝１）において電流値ゼロを示さないものもある。
そのため，２セル酸素ポンプ式空燃比センサも，濃淡電池式空燃比センサの場合と同様に，理論空燃比（λ＝１）の正確な検出が困難であり，空燃比Ａ／Ｆの精確な制御が困難である。
【００１３】
なお，１セルタイプの限界電流式空燃比センサを利用する空燃比制御の方法としては，理論空燃比（λ＝１）の制御ではなく，燃費の低減，ＮＯｘの低減を目的として，リーン（稀薄）領域における内燃機関の運転制御を行なう方法も提案されている（特開昭５８−１５８５５３）。
【００１４】
一方，近年は，特にアメリカ国カリフォルニア州における排ガス規制が，ＬＥＶ（ＨＣ０．０７５ｇ／ｍｉｌｅ，ＮＯｘ０．２ｇ／ｍｉｌｅ），ＵＬＥＶ（ＨＣ０．０４０ｇ／ｍｉｌｅ，ＮＯｘ０．２ｇ／ｍｉｌｅ）と厳しくなり，三元触媒による排ガス浄化方法における，理論空燃比（λ＝１）近傍の確実な制御が切望されている。
【００１５】
本発明はかかる従来の問題点に鑑み，高精度で確実に理論空燃比（λ＝１）の制御を行なうことができる空燃比制御方法を提供しようとするものである。
【００１６】
【課題の解決手段】
請求項１の発明は，内燃機関に供給する燃料に対する空気の割合（空燃比Ａ／Ｆ）を，空燃比センサを用いて，理論空燃比（λ＝１）に制御する方法において，
酸素イオン伝導性の固体電解質体と，該固体電解質体上に設けられ，大気と接触させる第１電極及び内燃機関の排ガスと接触させる第２電極とを有し，上記第１電極と第２電極との間に所定の電圧を印加しておき，両電極間に発生する限界電流値を検出する１セルタイプの限界電流式空燃比センサであって，上記空燃比の増分に対する上記限界電流値の増分の傾きが理論空燃比（λ＝１）を境にして変化し，理論空燃比（λ＝１）のリーン側よりもリッチ側の方が上記傾きが大きいものを用い，
上記第１電極と上記第２電極との間に印加される電圧を，上記空燃比が理論空燃比（λ＝１）となる際の限界電流値ＩｐがＩｐ＝０となりうる電圧値に設定した上で，
実際の制御時において，上記排ガス中の酸素濃度及び未燃ガス濃度に応じた限界電流値Ｉｐを検出し，該限界電流値ＩｐがＩｐ＝０となるように上記空燃比Ａ／Ｆを制御することにより，
内燃機関の空燃比Ａ／Ｆを理論空燃比（λ＝１）に制御することを特徴とする空燃比制御方法にある。
【００１７】
本発明において最も注目すべきことは，上記１セルタイプの限界電流式空燃比センサを用いること，及び該限界電流式空燃比センサにより排ガス中の酸素濃度あるいは未燃ガス濃度に応じた限界電流値Ｉｐを検出し，該限界電流値ＩｐがＩｐ＝０となるように空燃比Ａ／Ｆを制御して，内燃機関の燃焼状態を理論空燃比（λ＝１）に制御することである。
【００１８】
上記の理論空燃比（λ＝１）は，燃料として，例えばガソリンを用いる場合には空燃比Ａ／Ｆ＝１４．５である。理論空燃比（λ＝１）の具体的制御方法は，実施形態例において説明する。
【００１９】
次に，本発明の作用効果につき述べる。
上記限界電流式空燃比センサは，後述する図１に示すごとく，理論空燃比（λ＝１）とセンサ出力電流，即ち限界電流値Ｉｐとの関係を示す出力特性線１１が理論空燃比（λ＝１）と限界電流値Ｉｐ＝０との交点Ａを通る。そして，この関係は，限界電流式空燃比センサの製品が異なっても同じであり，同図に示すごとく，全ての出力特性線１１，１２，１３は上記交点Ｐを通る。
【００２０】
そして，これらの各出力特性線は，略リニアの関係にある。したがって図１に示すごとく，製品間のバラツキが出力特性１１〜１３のように生じたときにおいてもＩｐ＝０では確実に理論空燃比となる。
それ故，このようにして得られた限界電流値Ｉｐに対応して，燃料調整装置から内燃機関への燃料供給量を制御することにより，理論空燃比の制御が正確かつ容易となる。
【００２１】
即ち，例えば現時点の空燃比Ａ／Ｆが１５の場合には，そのときの限界電流値Ｉｐを燃料調整装置に送信して，その限界電流値Ｉｐに応じた分だけ多く燃料調整装置より燃料を供給する。
一方，空燃比Ａ／Ｆが１４の場合には，上記と同様にして，限界電流値Ｉｐに応じた分だけ燃料供給量を少なくする。これにより，内燃機関に供給される燃料と空気が理論空燃比（λ＝１）に制御される。それ故，排ガス浄化コンバータにおいては，最も効率的にＨＣ，ＣＯ，ＮＯｘを浄化することができる。
【００２２】
したがって，本発明によれば，高精度で確実に理論空燃比（λ＝１）の制御を行なうことができる，空燃比制御方法を提供することができる。
【００２３】
また，限界電流式空燃比センサは，２セル酸素ポンプ式空燃比センサのごとき測定ガス室（図１３の符号７２６）を持たないため，応答性も良いので，三元触媒が多少劣化しても，良好な排ガス浄化を得ることができる。
【００２４】
次に，請求項２の発明のように，上記限界電流式空燃比センサは，排ガス中の酸素濃度が７．５％のときに，限界電流値Ｉｐが１０ｍＡ以上を出力することが好ましい。これにより，限界電流値の出力が大きくなり，より正確な空燃比Ａ／Ｆ制御を行なうことができる。
また，更に好ましくは，排ガス中の酸素濃度が７．５％ときの限界電流値Ｉｐは１２ｍＡ以上である。なお，上記の「排ガス中の酸素濃度が７．５％のとき」とは，空燃比Ａ／Ｆが約２３（燃料としてガソリンを用いたとき）の場合をいう。
【００２５】
次に，請求項３の発明のように，上記１セルタイプの限界電流式空燃比センサは，一端を閉塞し，他端を開放したコップ状の素子を有してなる構造とすることもできる。
この場合には，熱応力の集中を防止し，信頼性の向上を図ることができる。
【００２６】
次に，請求項４の発明のように，上記１セルタイプの限界電流式空燃比センサは，三元触媒を入れた排ガス浄化コンバータの下流側に設けることもできる。
この場合には，三元触媒を通過したガスの空燃比状態に応じた限界電流値Ｉｐを検出し，Ｉｐ＝０となるように空燃比を制御することができる。
【００２７】
【発明の実施の形態】
実施形態例１
本発明の実施形態例にかかる空燃比制御方法につき，図１〜図４を用いて説明する。
まず，最初にその要点を説明すれば，内燃機関４に供給する燃料に対する空気の割合（空燃比Ａ／Ｆ）を，空燃比センサ２を用いて，理論空燃比（λ＝１）に制御する方法において，図３に示すごとき１セルタイプの限界電流式空燃比センサを用る。
【００２８】
そして，図１に示すごとく，上記排ガス中の酸素濃度あるいは未燃ガス濃度に応じた限界電流値Ｉｐを検出し，該限界電流値ＩｐがＩｐ＝０となるように上記空燃比Ａ／Ｆを制御することにより，内燃機関の空燃比Ａ／Ｆを理論空燃比（λ＝１）に制御する。
【００２９】
次に，これらにつき順次説明する。
図１は横軸に空燃比Ａ／Ｆ，縦軸に限界電流値Ｉｐをとって，３種類の限界電流式空燃比センサの出力特性を示したものである。同図に知られるごとく，センサ出力の限界電流値Ｉｐは，理論空燃比（λ＝１）を境として，その前後においても略リニアで，滑らかな変化をしている。
そして，前記従来例に示した濃淡電池式空燃比センサの場合（図１１，図１２）のように，理論空燃比（λ＝１）を境とする急峻な変化はない。
また，２セルポンプ式空燃比センサの場合（図１３，図１４）のように，製品毎に理論空燃比のときのセンサ出力電流（＝０ｍＡ）が変わってしまうということもない。
【００３０】
それ故，理論空燃比（λ＝１）という制御目標からの，空燃比Ａ／Ｆのズレ量を限界電流値Ｉｐによって正確に検出することができ，その限界電流値Ｉｐを，燃料調整装置に対して，フィードバックし，空燃比Ａ／Ｆを速い応答性と高精度で制御することができる。また，センサ出力は，安定した大気を基準としているので出力値も安定している。
【００３１】
また，図２は，限界電流式空燃比センサにおいて，第１電極と第２電極に印加する印加電圧と，各空燃比Ａ／Ｆにおける電流値Ｉとの関係を示したものである。同図より知られるごとく，各空燃比Ａ／Ｆにおける電流値Ｉは，印加電圧がある範囲の場合には同じ値を示しており，この値を限界電流値（Ｉｐ）と呼ぶ。そのため，印加電圧が多少変動しても限界電流値Ｉｐの出力値は同じに維持され，検出精度が高い。
【００３２】
また，空燃比Ａ／Ｆ＝１４．５の場合には，限界電流値Ｉｐ＝０を示す。そのため，限界電流値Ｉｐ＝０を基準とする空燃比Ａ／Ｆ制御も容易である。
なお，上記の図１は，図２における点線と各空燃比Ａ／Ｆの限界電流値Ｉｐとの交点の値を，空燃比Ａ／Ｆと限界電流値Ｉｐとの関係で示したものである。
【００３３】
次に，本例にかかる限界電流式空燃比センサを図３に示す。
本例の限界電流式空燃比センサ２は，１セルタイプで，酸素イオン伝導性のコップ状の固体電解質体２０と，その内側空洞２８内の大気と接触させる第１電極２１及び内燃機関の排ガスと接触させる第２電極２２とを有する。そして，第１電極２１と第２電極２２との間に所定の電圧を印加しておき，第１電極２１と第２電極２２との間に発生する限界電流値を検出するものである。
なお，同図において，大気側の第１電極２１は，固体電解質体２０の開口端の端子部２１０まで電気的に接続されている。また，第２電極２２は，リード部２２１を介して端子部２２０まで電気的に接続されている。
【００３４】
また，第２電極２２は，限界電流値を発生させるセンサ部２５の部分のみ環状に，固体電解質体２０に直接設けてあるが，その他の部分は電気絶縁層３１を介して固体電解質体との間が絶縁してある。
また，第２電極２２の表面には，多孔質の拡散抵抗層２３が設けてある。
なお，本例においては，上記固体電解質体２０としてはＺｒＯ2 −Ｙ2 Ｏ3 材料を，第１電極，第２電極はＰｔメッキを用いた。また，センサ部２５の幅は約５ｍｍとした。
【００３５】
次に，本例の空燃比制御方法のシステム概要を，図４により説明する。
まず，自動車の内燃機関４に対しては，その上流側に吸気管４１が，一方内燃機関４の下流側には排気管を介して，三元触媒入りの排ガス浄化コンバータ４４が設けられている。更に，排ガスコンバータ４４の下流にはマフラー（図示略）に接続した排出パイプ４５が設けてある。
【００３６】
そして，上記吸気管４１には燃料調整装置４６が配設されている。また，上記排気管４２には，上記限界電流式空燃比センサ２が配設され，このセンサからの出力は空燃比制御装置４５に電気的に接続されている。
また，該空燃比制御装置４５は，上記燃料調整装置４６に電気的に接続されている。
【００３７】
空燃比制御に当たっては，まず吸気管４１において，燃料調整装置４６からの燃料と外気からの空気が混合され，その混合気が内燃機関４に供給され，運転される。また，その排ガスは排ガス浄化コンバータ４４に入り，その中のＨＣ，ＣＯ，ＮＯｘが浄化される。
その間，上記限界電流式空燃比センサ２においては，内燃機関４から排出された排ガス中の酸素濃度あるいは未燃ガス濃度に相当する限界電流値Ｉｐを検出し，その限界電流値Ｉｐは常時空燃比Ａ／Ｆ制御装置４５に送られている。
【００３８】
そして，上記限界電流値Ｉｐが，図１に示すごとく，例えば空燃比Ａ／Ｆ１５を示す値を検出した際には，その限界電流値Ｉｐに応じて空燃比Ａ／Ｆ制御装置４５が作動して，上記燃料調整装置４６における燃料供給量を多くしていく。
すると，排ガス中の酸素濃度が徐々に減少し，限界電流式空燃比センサにおける限界電流値Ｉｐが０となり，理論空燃比（λ＝１）に制御される。
【００３９】
逆に空燃比Ａ／Ｆが１４の場合には，これに応じた限界電流値Ｉｐが得られるので，空燃比Ａ／Ｆ制御装置４５により燃料調整装置４６における燃料供給量を少なくしていき，同様にして理論空燃比（λ＝１）に制御する。
上記より知られるごとく，本例の空燃比制御方法によれば高精度で，確実に，理論空燃比（λ＝１）の制御を行なうことができる。
【００４０】
また，実施形態例１における１セルタイプの限界電流式空燃比センサは，一端を閉塞し，他端を開放したコップ状の素子を用いている。
そのため，活性化時間の短縮を図り，ヒータ温度を急激に上昇させても図１１に示すような板状素子と比較して，熱応力が集中することがないため，高信頼性を確保できる。そのため，より安定した空燃比制御を行なうことができる。
【００４１】
実施形態例２
本例においては，上記実施形態例１に示したコップ型の限界電流式空燃比センサ（図３）を用い図５に示すごとく，その多孔質の拡散抵抗層２３の厚さ（μｍ）と，応答時間（ｍｓ）との関係を測定した。また，上記拡散抵抗層は，スピネル粉末をプラズマ溶射することにより構成した。そして，拡散抵抗層のポロシティ（細孔容積ｃｃ／ｇ）を種々に変えて，上記測定を行なった。
【００４２】
本発明の限界電流式空燃比センサにおいて，応答時間を２００ｍｓ（ミリ秒）以下とするためには，ポロシティは０．００５〜０．０２０ｃｃ／ｇとすることが良いことが分かる。なお，０．０２０ｃｃ／ｇよりも大きくなると拡散抵抗層としての働きが不十分になり，限界電流のフラット性が損なわれるおそれがある。
また，拡散抵抗層２３の厚さは１００〜１０００μｍとすることが好ましい。１００μｍ未満では，電極保護層として役立ち難く，一方１０００μｍを越えると耐熱衝撃性が低下するおそれがある。
【００４３】
実施形態例３
本例においては，図６〜図９に示すごとく，実施形態例１に示した限界電流式空燃比センサの特性を示している。
まず，図６には電極面積（ｍｍ2 ）と素子抵抗（Ω）との関係を測定し，固体電解質体の厚さ（ｍｍ）をパラメータとして図６にプロットした。
【００４４】
また，図７〜図８は，限界電流式空燃比センサの出力電流安定化の様相を示している。
そして，図７は，電極面積（ｍｍ2 ）と限界電流値との関係を示している。図８は，限界電流式空燃比センサにおける印加電圧と限界電流値との関係を示し，電極面積が小さい場合Ｂは限界電流値が小さく，一方電極面積が大きい場合Ａは限界電流値も大きくなることを示している。
【００４５】
また，図９は，電極面積小の場合Ｂと，大の場合Ａとにおける，空燃比Ａ／Ｆと限界電流値Ｉｐの関係を示している。
これらより，本発明の限界電流式空燃比センサにおいては，電極面積（ｍｍ2 ）は，２０〜１００ｍｍ2 とすることが好ましいことが分かる。２０ｍｍ2 未満では素子抵抗が大きく，限界電流値Ｉｐの出力が低く（図６〜図９），一方１００ｍｍ2 を越えると，内燃機関始動後固体電解質体が活性化するまでの時間が長くなるおそれがある。
【００４６】
また，固体電解質体の厚みは０．２〜１ｍｍが好ましいことが分かる。０．２ｍｍ未満では，強度に限界があり，一方１．０ｍｍを越えると素子内部抵抗の増大の問題が生ずるおそれがある（図６）。
【００４７】
また，本発明においては，１セルタイプの限界電流式空燃比センサを，三元触媒の下流側に設けてもよい。
この場合には，排ガスの浄化を行なう三元触媒を通過したガスの空燃比状態に応じた限界電流値Ｉｐを検出し，Ｉｐ＝０となるように空燃比を制御することができる。
【００４８】
また，これにより，このＩｐ＝０であるλ＝１の１ポイントを正確に検出することができるので，三元触媒の浄化能力の高い範囲に相当する空燃比制御を行なうことができ，エミッションの更なる向上に結び付けることができる。
また，触媒自体の劣化により，三元触媒の浄化能力の高い範囲がわずかに変化したような場合であっても，このわずかな変化に対応した出力を行なうことができ，エミッションの悪化を制御することができる。
【図面の簡単な説明】
【図１】実施形態例１にかかる，限界電流式空燃比センサにおける空燃比Ａ／Ｆと限界電流値Ｉｐとの関係を示す線図。
【図２】実施形態例１にかかる，限界電流式空燃比センサにおける印加電圧と電流値Ｉとの関係を示す線図。
【図３】実施形態例１にかかる限界電流式空燃比センサの断面説明図。
【図４】実施形態例１における空燃比制御方法のシステム図。
【図５】実施形態例２にかかる，限界電流式空燃比センサにおける拡散抵抗層厚さと応答時間との関係を示す線図。
【図６】実施形態例２にかかる，限界電流式空燃比センサにおける電極面積と素子抵抗との関係を示す線図。
【図７】実施形態例２にかかる，限界電流式空燃比センサにおける電極面積と限界電流値Ｉｐとの関係を示す線図。
【図８】実施形態例２にかかる，限界電流式空燃比センサにおける印加電圧と電流値Ｉとの関係を示す線図。
【図９】実施形態例２にかかる，限界電流式空燃比センサにおける空燃比Ａ／Ｆと限界電流値Ｉｐとの関係を示す線図。
【図１０】従来例に示した，三元触媒による排ガス浄化率の特性図。
【図１１】従来例に示した，濃淡電池式空燃比センサの説明図。
【図１２】従来例に示した，濃淡電池式空燃比センサの出力特性図。
【図１３】従来例に示した，２セル酸素ポンプ式空燃比センサの説明図。
【図１４】従来例に示した，２セル酸素ポンプ式空燃比センサの出力特性図。
【符号の説明】
２．．．限界電流式空燃比センサ，
２０．．．固体電解質体，
２１．．．第１電極，
２２．．．第２電極，
２３．．．拡散抵抗層，
２５．．．センサ部，
４４．．．排ガスコンバータ，
４６．．．燃料調整装置，
【図１】
0004051725.tif 000002
【図２】
0004051725.tif 000003
【図３】
0004051725.tif 000004
【図４】
0004051725.tif 000005
【図５】
0004051725.tif 000006
【図６】
0004051725.tif 000007
【図７】
0004051725.tif 000008
【図８】
0004051725.tif 000009
【図９】
0004051725.tif 000010
【図１０】
0004051725.tif 000011
【図１１】
0004051725.tif 000012
【図１２】
0004051725.tif 000013
【図１３】
0004051725.tif 000014
【図１４】
0004051725.tif 000015